(57)【特許請求の範囲】
【請求項１】
第１端と第２端とがそれぞれ制御回路に接続し、かつ互いに平行して接触しないように設けられた複数の短冊状導電シートを含む第１導電層が形成された第１基板と、第１端と第２端とがそれぞれ前記制御回路に接続し、かつ互いに平行して接触しないように設けられた複数の短冊状導電シートを含む第２導電層が形成された第２基板と、を含んでなるタッチパネル装置のタッチ検知方法であって、
（ａ）のステップにおいて、前記制御回路が同時駆動方式で前記第１導電層の第１端に駆動電圧を同時に印加し、かつ前記第１導電層の第２端を予め設けられた電位に接続して、前記第１導電層に電位傾度を形成し、
（ｂ）のステップにおいて、前記タッチパネル装置の少なくとも一つのタッチ位置が押圧されると、前記第１導電層と第２導電層とが該タッチ位置において接触することにより、前記第１導電層の該タッチ位置に対応する駆動電圧を前記第２導電層に印加し、
（ｃ）のステップにおいて、前記制御回路が、前記第２導電層における前記タッチ位置に対応して検知される電圧の前記駆動電圧に対する分圧を検知することなく、前記第２導電層を走査して、前記タッチ位置の第１軸方向の座標位置を検知し、ここで、当該第１軸に沿った前記タッチ位置の座標は、前記第２導電層に伝達される、当該タッチ位置における電圧に基づき、
（ｄ）のステップにおいて、前記制御回路が同時駆動方式で駆動電圧を前記第２導電層の短冊状導電層の第１端に同時に印加し、かつ前記第２導電層の短冊状導電シートの第２端を予め設けられた電位に接続して、前記第２導電層の短冊状導電シートに電位傾度を形成し、
（ｅ）のステップにおいて、前記タッチパネル装置が少なくとも一つのタッチ位置で押圧されると、前記第１導電層と第２導電層とがタッチ位置において接触することにより、前記第２導電層によって前記タッチ位置に対応する駆動電圧を前記第１導電層に印加し、
（ｆ）のステップにおいて、前記制御回路が、前記第１導電層における前記タッチ位置に対応して検知される電圧の前記駆動電圧に対する分圧を検知することなく前記第１導電層を走査して、前記タッチ位置の第２軸方向の座標位置を検知し、ここで、当該第２軸に沿った前記タッチ位置の座標は、前記第１導電層に伝達される、当該タッチ位置における電圧に基づき、
（ｇ）のステップにおいて、前記ステップ（ａ）からステップ（ｆ）を繰り返して実行すること、を特徴とするタッチパネル装置のタッチ検知方法。
【請求項２】
前記（ｃ）のステップにおいて、前記制御回路が順次走査方式で前記第２導電層のそれぞれの短冊状導電シートを順に走査することを特徴とする、請求項１に記載のタッチパネル装置のタッチ検知方法。
【請求項３】
前記（ｃ）のステップにおいて、前記制御回路が同時走査方式で前記第２導電層のそれぞれの短冊状導電シートを同時に走査することを特徴とする、請求項１に記載のタッチパネル装置のタッチ検知方法。
【請求項４】
前記（ｆ）のステップにおいて、前記制御回路が順次走査方式で前記第１導電層のそれぞれの短冊状導電シートを順に走査することを特徴とする、請求項１〜３のいずれか一項に記載のタッチパネル装置のタッチ検知方法。
【請求項５】
前記（ｆ）のステップにおいて、前記制御回路が同時走査方式で前記第１導電層のそれぞれの短冊状導電シートを同時に走査することを特徴とする、請求項１〜３のいずれか一項に記載のタッチパネル装置のタッチ検知方法。
【請求項６】
第１端と第２端とがそれぞれ制御回路に接続する第１導電層が形成された第１基板と、第１端と第２端とがそれぞれ前記制御回路に接続し、かつ互いに平行して接触しないように設けられた複数の短冊状導電シートを含む第２導電層が形成された第２基板と、を含んでなるタッチパネル装置のタッチ検知方法であって、
（ａ）のステップにおいて、前記制御回路が同時駆動方式で前記第１導電層の第１端に駆動電圧を同時に印加し、かつ前記第１導電層の第２端を予め設けられた電位に接続して、前記第１導電層に電位傾度を形成し、
（ｂ）のステップにおいて、前記タッチパネル装置の少なくとも一つのタッチ位置が押圧されると、前記第１導電層と第２導電層とが該タッチ位置において接触することにより、前記第１導電層の該タッチ位置に対応する駆動電圧を前記第２導電層に印加し、
（ｃ）のステップにおいて、前記制御回路が、前記第２導電層における前記タッチ位置に対応して検知される電圧の前記駆動電圧に対する分圧を検知することなく、前記第２導電層を走査して、前記タッチ位置の第１軸方向の座標位置を検知し、ここで、当該第１軸に沿った前記タッチ位置の座標は、前記第２導電層に伝達される、当該タッチ位置における電圧に基づき、
（ｄ）のステップにおいて、前記制御回路が同時駆動方式で駆動電圧を前記第２導電層の短冊状導電層の第１端に同時に印加し、かつ前記第２導電層の短冊状導電シートの第２端を予め設けられた電位に接続して、前記第２導電層の短冊状導電シートに電位傾度を形成し、
（ｅ）のステップにおいて、前記タッチパネル装置が少なくとも一つのタッチ位置で押圧されると、前記第１導電層と第２導電層とがタッチ位置において接触することにより、前記第２導電層によって前記タッチ位置に対応する駆動電圧を前記第１導電層に印加し、
（ｆ）のステップにおいて、前記制御回路が、前記第１導電層における前記タッチ位置に対応して検知される電圧の前記駆動電圧に対する分圧を検知することなく前記第１導電層を走査して、前記タッチ位置の第２軸方向の座標位置を検知し、ここで、当該第２軸に沿った前記タッチ位置の座標は、前記第１導電層に伝達される、当該タッチ位置における電圧に基づき、
（ｇ）のステップにおいて、前記ステップ（ａ）からステップ（ｆ）を繰り返して実行すること、を特徴とするタッチパネル装置のタッチ検知方法。
【請求項７】
前記（ｃ）のステップにおいて、前記制御回路が順次方式で前記第２導電層のそれぞれの短冊状導電シートを走査することを特徴とする、請求項６に記載のタッチパネル装置のタッチ検知方法。
【請求項８】
前記第１導電層が連続した平面構造を含むことを特徴とする請求項６または７に記載のタッチパネル装置のタッチ検知方法。
【発明の詳細な説明】
【技術分野】
【０００１】
本発明は、タッチパネル装置に係り、特に複数のタッチ位置を検知するタッチパネル装置の検知方法に関する。
【背景技術】
【０００２】
従来の技術によるタッチパネル装置の構造は、主にガラス基板(Glass  Substrate)の表面に透明電極層（一般にITOと称する酸化インジウム錫導電層を用いる）を塗布して導電ガラスを生成し、該導電ガラス上に別途ガラス基板か、もしくはフィルムを設ける。この場合、該導電ガラス上に設ける他のガラス基板、もしくはフィルムの底面に、該導電ガラスの透明電極層に対応する透明導電層を塗布する。
【０００３】
また、該導電ガラスの透明導電層と、フィルムの透明導電層との間には複数の絶縁スペーサポイントを設けてそれぞれの透明電極が隔離され、所定の距離を保つようにする。さらに、マイクロコントローラによってＸ軸とY軸の電圧値を交互に検知する。即ち、タッチパネルの画面が押し圧されて発生するＸ軸とＹ軸との圧力の分布を検知して、押し圧された位置を計算し、タッチパネルの画面上の押タッチポイントの位置を検知する。
【０００４】
タッチパネルの導電層に短冊状の導電シートを用いる構造とし、かつ走査の方式でタッチパネルの画面上の押し圧された位置を検知してもよい。例えば、アメリカ合衆国特許第５１８１０３０号には、複数の短冊状の導電シートを含む導電層構造が開示されている。即ち、直交する両方軸法にそれぞれ沿った両短冊状の導電シートを具え、電位差と位置の関係を検知してタッチされた位置を得るものである。また、アメリカ合衆国特許第４５８７３７８号には、短冊状の複数の導電シートを用いた構造が開示される。即ち、直交する両軸方向にそれぞれ沿って短冊状の両導電シートを含み、軸方向に沿った両端にそれぞれ電位を印加し、別途信号の変化を検知して、タッチされた位置を検知するものである。
【０００５】
しかしながら、従来のタッチパネル装置の構造は、主に単一のタッチポイントを検知するものであって、同時にタッチされた複数のポイントを判別することはできない。仮に判別できたとしても、精度が不十分であって、誤差が容易に発生する。だが、現代社会において、関連する電子機器などのハードウエアはますます発展を遂げていることから、簡易な構造で複数のタッチポイントの判別を可能とする技術がますます望まれている。
【特許文献１】アメリカ合衆国特許第５１８１０３０号公報
【特許文献２】アメリカ合衆国特許第４５８７３７８号公報
【発明の開示】
【発明が解決しようとする課題】
【０００６】
そこで、本発明は、簡易な構造で複数のタッチポイントの検知ができるタッチパネル装置のタッチ検知方法を提供することを課題とする。
【課題を解決するための手段】
【０００７】
本発明は、従来技術の課題を解決するため、請求項１に記載するタッチパネルのタッチ検知方法は、第１端と第２端とがそれぞれ制御回路に接続し、かつ互いに平行して接触しないように設けられた複数の短冊状導電シートを含む第１導電層が形成された第１基板と、第１端と第２端とがそれぞれ制御回路に接続し、かつ互いに平行して接触しないように設けられた複数の短冊状導電シートを含む第２導電層が形成された第２基板と、を含んでなるタッチパネル装置のタッチ検知方法であって、（ａ）のステップにおいて、前記制御回路が該第１導電層の第１端の短冊状導電シートに駆動電圧を印加し、かつ前記第１導電層の短冊状導電シートの前記第２端を予め設けられた電位に接続して、前記第１導電層の短冊状導電シートに電位傾度を形成し、（ｂ）のステップにおいて、前記タッチパネル装置が少なくとも一つのタッチポイントの位置が押し圧されると、該第１導電層と第２導電層とがタッチ位置において接触し、該第１導電層によって該タッチ位置に基づいて駆動電圧を該第２導電層に印加し、（ｃ）のステップにおいて、前記制御回路が、前記第２導電層における前記タッチ位置に対応して検知される電圧の前記駆動電圧に対する分圧を検知することなく、前記第２導電層を走査して、前記タッチ位置の第１軸方向の座標位置を検知し、（ｄ）のステップにおいて、前記制御回路が駆動電圧を前記第２導電層の短冊状導電層の第１端に印加し、かつ前記第２導電層の短冊状導電シートの第２端を予め設けられた電位に接続して、前記第２導電層の短冊状導電シートに電位傾度を形成し、（ｅ）のステップにおいて、前記第２導電層によって前記タッチ位置に対応する駆動電圧を前記第１導電層に印加し、（ｆ）のステップにおいて、前記制御回路が、前記第１導電層における前記タッチ位置に対応して検知される電圧の前記駆動電圧に対する分圧を検知することなく前記第１導電層を走査して、前記タッチ位置の第２軸方向の座標位置を検知し、（ｇ）のステップにおいて、前記ステップ（ａ）からステップ（ｆ）を繰り返して実行する。
【０００８】
請求項２に記載するタッチパネル装置のタッチ検知方法は、請求項２における（ａ）のステップにおいて、該制御回路が順次駆動方式で駆動電圧を該第１導電層のそれぞれの短冊状導電シートに順に印加する。
【０００９】
請求項３に記載するタッチパネル装置のタッチ検知方法は、請求項１における（ａ）のステップにおいて、該制御回路が同時駆動方式で駆動電圧を該第１導電層のそれぞれの短冊状導電シートに同時に印加する。
【００１０】
請求項４に記載するタッチパネル装置のタッチ検知方法は、請求項１における（ｃ）のステップにおいて該制御回路が順次走査方式で該第２導電層のそれぞれの短冊状導電シートを順に走査する。
【００１１】
請求項５に記載するタッチパネル装置のタッチ検知方法は、請求項１における（ｃ）のステップにおいて、該制御回路が同時走査方式で該第２導電層のそれぞれの短冊状導電シートを同時に走査する。
【００１２】
請求項６に記載するタッチパネル装置のタッチ検知方法は、請求項１における（ｄ）のステップにおいて、該制御回路が順次駆動方式で駆動電圧を該第２導電層のそれぞれの短冊状導電シートに順に印加する。
【００１３】
請求項７に記載するタッチパネル装置のタッチ検知方法は、請求項１における（ｄ）のステップにおいて、該制御回路が同時駆動方式で駆動電圧を該第２導電層のそれぞれの短冊状導電シートに同時に印加する。
【００１４】
請求項８に記載のタッチパネル装置のタッチ検知方法は、請求項１における（ｆ）のステップにおいて、該制御回路が順次走査方式で該第１導電層のそれぞれの短冊状導電シートを順に走査する。
【００１５】
請求項９に記載するタッチパネル装置のタッチ検知方法は、請求項１における（ｆ）のステップにおいて、該制御回路が同時走査方式で該第１導電層のそれぞれの短冊状導電シートを同時に走査する。
【００１６】
請求項１０に記載するタッチパネル装置のタッチ検知方法は、第１端と第２端とがそれぞれ制御回路に接続する第１導電層が形成された第１基板と、第１端と第２端とがそれぞれ前記制御回路に接続し、かつ互いに平行して接触しないように設けられた複数の短冊状導電シートを含む第２導電層が形成された第２基板と、を含んでなるタッチパネル装置のタッチ検知方法であって、（ａ）のステップにおいて、前記制御回路が前記第１導電層の第１端に駆動電圧を印加し、かつ前記第１導電層の第２端を予め設けられた電位に接続して、前記第１導電層に電位傾度を形成し、（ｂ）のステップにおいて、前記タッチパネル装置の少なくとも一つのタッチ位置が押圧されると、前記第１導電層と第２導電層とが該タッチ位置において接触することにより、前記第１導電層の該タッチ位置に対応する駆動電圧を前記第２導電層に印加し、（ｃ）のステップにおいて、前記制御回路が、前記第２導電層における前記タッチ位置に対応して検知される電圧の前記駆動電圧に対する分圧を検知することなく、前記第２導電層を走査して、前記タッチ位置の第１軸方向の座標位置を検知し、（ｄ）のステップにおいて、前記制御回路が駆動電圧を前記第２導電層の短冊状導電層の第１端に印加し、かつ前記第２導電層の短冊状導電シートの第２端を予め設けられた電位に接続して、前記第２導電層の短冊状導電シートに電位傾度を形成し、（ｅ）のステップにおいて、前記タッチパネル装置が少なくとも一つのタッチ位置で押圧されると、前記第１導電層と第２導電層とがタッチ位置において接触することにより、前記第２導電層によって前記タッチ位置に対応する駆動電圧を前記第１導電層に印加し、（ｆ）のステップにおいて、前記制御回路が、前記第１導電層における前記タッチ位置に対応して検知される電圧の前記駆動電圧に対する分圧を検知することなく前記第１導電層を走査して、前記タッチ位置の第２軸方向の座標位置を検知し、（ｇ）のステップにおいて、前記ステップ（ａ）からステップ（ｆ）を繰り返して実行する。
【００１７】
請求項１１に記載するタッチパネル装置のタッチ検知方法は、請求項１０における制御回路が順次走査方式で該第２導電層のそれぞれの短冊状導電シートを走査する。
【００１８】
請求項１２に記載するタッチパネル装置のタッチ検知方法は、請求項１０における（ｄ）のステップにおいて、該制御回路が順次駆動方式で該第２導電層のそれぞれの短冊状導電シートを順に走査する。
【００１９】
請求項１３に記載するタッチパネル装置のタッチ検知方法は、請求項１０における第１導電層が、平行し互い接触しないように設けられた複数の短冊状導電シートを含む。
【００２０】
請求項１４に記載のタッチパネル装置のタッチ検知方法は、請求項１０における第１導電層が連続した平面構造を含む。
【発明の効果】
【００２１】
本発明の方法によれば、タッチパネル装置において、簡易な構造で複数のタッチされた位置を検知することができるため、タッチパネル装置の応用機器の範囲を広げることができるという利点を具え、産業上の利用価値を大いに具える。また、簡易な構造で、かつタッチパネル装置を製造する従来の工程を利用できるため、製造コストを節減し、製品の市場における競争能力を高めるという効果が得られる。
【発明を実施するための最良の形態】
【００２２】
本発明に係るタッチパネルのタッチ検知方法について、その特徴を説明するために具体的な実施例を挙げ、図面を参照にして以下に説明する。
【実施例１】
【００２３】
図１は、第１の実施例によるシステムの構造を示したブロック図であって、図２は、第１の実施例によるタッチパネル装置の構造を示した分解図である。図面によれば、タッチパネル装置１００は、第１基板１と、第２基板２と、及び両部材の間に介在するスペーサーとして、複数の絶縁スペーサポイント３を含んでなる。
【００２４】
第１基板１には導電層１０を形成する。第１の実施例において第１導電層１０は酸化インジウム錫（ＩＴＯ）層が連続して平面構造を形成してなり、第１軸Ｉの方向に沿った両側に第１端１０１と、第２端１０２を形成する。第１端１０１と第２端１０２は、それぞれ制御回路４に接続し、制御回路４はマイクロコントローラ５に接続する。
【００２５】
制御回路４を介して第１導電層１０の第１端１０１に駆動電圧を印加し、かつ第２端１０２に予め設けた電位を接続する。この予め設けた電位は接地Ｇか、零電位０Ｖか、もしくは固定の数値の電位Ｖ2（図４参照）であってもよく、これを以って第１導電層１０上に電位傾度を形成する。
【００２６】
第２基板２には第２導電層２１を形成する。第２導電層２１は、第２軸IIの方向に沿って延伸する複数の短冊状導電シートＹ１、Ｙ２、Ｙ３・・・Ｙｎを含み、これら導電シートは互いに平行して設けられて接触することなく、かつそれぞれ制御回路４に接続する第１端Ｙ１ａ、Ｙ２ａ、Ｙ３ａ・・・Ｙｎａと、及び第２端Ｙ１ｂ、Ｙ２ｂ、Ｙ３ｂ・・・Ｙｎｂを形成する。
【００２７】
制御回路４は第１導電層１０と第２導電層２１に対して駆動と走査を交互に行い、かつ第２導電層２１が受信した検知信号を計算して得た座標上の位置を第１軸方向の座標位置ｘと定義し、第１導電層１０が受信した検知信号を計算して得た座標上の位置を第２軸方向の座標位置ｙと定義する。
【００２８】
図３に、第１の実施例における操作方法を開示する。図面によれば、先ず１０１のステップで第１導電層に電位傾度を形成する。即ち、制御回路４を介して第１導電層１０の第１端１０１に予め設けた電位Ｖ１(図４参照)を印加して駆動電圧とし、第２端１０２に予め設けた電位を接続する。この予め設けた電位は接地Ｇか、零電位０Ｖか、もしくは固定数値の電位Ｖ２（図４参照）であってもよく、このようにして第１導電層１０上に電位傾度を形成する。
【００２９】
次いで、１０２のステップにおいて、タッチパネル装置１００のタッチポイントの少なくとも一つが押し圧されると、第１導電層１０と第２導電層２１が押し圧された位置において接触し、第１導電層１０が押し圧された位置に基づいて対応する駆動電圧をそれぞれの押し圧された位置に対応する第２導電層２１に印加する。
【００３０】
次いで、１０３のステップにおいて、制御回路４が第２導電層２１のそれぞれの導電シートＹ１、Ｙ２、Ｙ３・・・Ｙｎを走査して、タッチされた位置の第１軸方向の座標の位置ｘを検知する。
【００３１】
図４に開示するように、使用者が第１導電層１０の複数のタッチポイントの位置を押し圧すると、例えばタッチポイントＬ１、Ｌ２を同時に押し圧すると、タッチポイントＬ１、Ｌ２は第２導電層２１のタッチポイントＬ１’、Ｌ２’に対応するため、制御回路４が第２導電層２１を走査すると、タッチポイントＬ１’、Ｌ２’にそれぞれ対応する第１軸方向（ｘ軸方向）の座標上の位置が検知される。
【００３２】
また、１０４のステップにおいて、マイクロコントローラ５の制御により、制御回路４を介して第２導電層２１のそれぞれの短冊状導電シートＹ１、Ｙ２、Ｙ３・・・Ｙｎの第１端Ｙ１ａ、Ｙ２ａ、Ｙ３ａ・・・Ｙｎａに予め設けられた電位Ｖ１を駆動電圧として印加し、かつ第２端Ｙ１ｂ、Ｙ２ｂ、Ｙ３ｂ・・・Ｙｎｂを予め設けられた電位に接続する。この予め設けられた電位は接地Ｇか、零電位０Ｖか、もしくは固定値電位Ｖ２（図５参照）であってもよい。係る構成によって制御回路４は、順に走査する方式で第２導電層２１のそれぞれの長方形の導電シートＹ１、Ｙ２、Ｙ３・・・Ｙｎ上に、順に電位傾度を形成する。
【００３３】
次に、１０５のステップにおいて、第２導電層２１によって、タッチ位置Ｌ１’、Ｌ２’に基づき対応する駆動電圧をそれぞれのタッチ位置Ｌ１’、Ｌ２’に対応する第１導電層１０に印加する。
【００３４】
次に、１０６のステップにおいて、制御回路４は第１導電層１０に走査を行い、それぞれのタッチ位置の第２軸方向の座標位置ｙを検知する。
【００３５】
第１導電層１０と第２導電層２１を互いに駆動させて走査、検知する方式によってタッチ位置Ｌ1’、Ｌ２’に対応する第１軸方向の座標位置ｘと第２軸方向の座標位置ｙを得る。
【実施例２】
【００３６】
図６、７に、第２の実施例を開示する。図６は第２の実施例によるシステムの構造を示したブロック図であって、図７は図６に開示する装置の第１基板と第２基板の複数のスペーサポイントを設けた状態を示した説明図である。
【００３７】
第２の実施例によるタッチパネル装置１００ａの第１導電層１０は、互いに平行し接触しない複数の短冊状導電シートＸ１、Ｘ２、Ｘ３・・・Ｘｎを含み、それぞれの短冊状導電シートＸ１、Ｘ２、Ｘ３・・・Ｘｎは、それぞれ第１端Ｘ１ａ、Ｘ２ａ、Ｘ３ａ・・・Ｘｎａと、第２端Ｘ１ｂ、Ｘ２ｂ、Ｘ３ｂ・・・Ｘｎｂを有する。
【００３８】
第２の実施例におけるその他構成部材は第１の実施例と同様である。よって、図面では同一の部材について同一の符号を表示した。
【００３９】
第２の実施例におけるそれぞれの短冊状導電シートＸ１、Ｘ２、Ｘ３・・・Ｘｎを駆動した場合、第１の実施例における連続した平面構造の第１導電層１０と同等の効果を具えるものとみなす。
【００４０】
それぞれの短冊状導電シートＸ１、Ｘ２、Ｘ３・・・Ｘｎは第１端Ｘ１ａ、Ｘ２ａ、Ｘ３ａ・・・Ｘｎａから第２端Ｘ１ｂ、Ｘ２ｂ、Ｘ３ｂ・・・Ｘｎｂに向かって電位傾度を形成し、かつ同様に第１導電層１０と第２導電層２１に対して、互いに駆動、走査による検知を行い、タッチパネル装置１００ａの同時にタッチされた複数のタッチ位置の座標を検知する。
【実施例３】
【００４１】
図８は、第３の実施例によるシステムの構造を示したブロック図である。第３の実施例における多くの部材は図６に開示する実施の形態と同様であり、図面では同一の部材について同一の符号を表示した。よって、詳細な説明を省く。
【００４２】
第３の実施例においては、タッチパネル装置１００ｂの第１導電層１０のそれぞれの短冊状導電シートＸ１、Ｘ２、Ｘ３・・・Ｘｎの第１端Ｘ１ａ、Ｘ２ａ、Ｘ３ａ・・・Ｘｎａと第２端Ｘ１ｂ、Ｘ２ｂ、Ｘ３ｂ・・・Ｘｎｂとがそれぞれ制御回路４に接続する点において異なる。
【００４３】
図９は、第３の実施例による装置の操作を示したフローチャートである。該操作は、先ず制御回路４が第１導電層１０を駆動層とし、第２導電層２１を走査、検知層とする。制御回路４が第１導電層１０を駆動する場合、第１導電層１０のそれぞれの短冊状導電シートＸ１、Ｘ２、Ｘ３・・・Ｘｎに対して順に駆動電圧を印加する順次駆動方式を採用するか、もしくは第１導電層１０の短冊状導電シートＸ１、Ｘ２、Ｘ３・・・Ｘｎに対して同時に駆動電圧を印加する同時駆動方式を採用してもよい。
【００４４】
順次駆動方式を例として説明すると、２０１のステップにおいて制御回路４によって第１導電層１０の短冊状導電シートＸ１、Ｘ２、Ｘ３・・・もしくはＸｎの第１端Ｘ１ａ、Ｘ２ａ、Ｘ３ａ・・・Ｘｎａに予め設けた電位Ｖ１を駆動電圧として印加し、かつ第２端Ｘ１ｂ、Ｘ２ｂ、Ｘ３ｂ・・・Ｘｎｂを予め設けられた電位に接続する。この予め設けた電位は接地Ｇか、零電位０Ｖか、もしくは固定数値の電位Ｖ２であってもよく、第１導電層１０の短冊状導電シートＸ１、Ｘ２、Ｘ３・・・もしくはＸｎに電位傾度を形成する。
【００４５】
例えば、制御回路４が先ず第１導電層１０の短冊状導電シートＸ１に電位傾度を形成し、次いで短冊状導電シートＸ１、Ｘ２、Ｘ３・・・Ｘｎに、順に導電傾度を形成する。
【００４６】
同時駆動方式を採用する場合は、制御回路４が第１導電層１０のそれぞれの短冊状導電シートＸ１の第１端Ｘ１ａ、Ｘ２ａ、Ｘ３ａ・・・Ｘｎａに、予め設けた電位Ｖ１を駆動電圧として同時に印加し、かつそれぞれの短冊状導電シートＸ１の第２端Ｘ１ｂ、Ｘ２ｂ、Ｘ３ｂ・・・Ｘｎｂを予め設けられた電位に接続する。このため設けた電位は接地Ｇか、零電位０Ｖか、もしくは固定数値の電位Ｖ２であってもよく、第１導電層１０の短冊状導電シートＸ１、Ｘ２、Ｘ３・・・Ｘｎに電位傾度を形成する。
【００４７】
２０２のステップにおいて、タッチパネル装置１００ｂのタッチポイントの少なくとも一つが押し圧されると、第１導電層１０と第２導電層２１が押し圧された位置において接触し、第１導電層１０が押し圧された位置に基づいて対応する駆動電圧をそれぞれの押し圧された位置に対応する第２導電層２１に印加する。
【００４８】
次いで、２０３のステップにおいて、制御回路４が走査、検知を行い、タッチされた位置の第１軸方向の座標の位置ｘを検知する。
【００４９】
制御回路４が第２導電層２１のそれぞれの短冊状導電シートＹ１、Ｙ２、Ｙ３・・・Ｙｎに対して行う走査、検知方式は、順次走査方式を採用するか、もしくは同時走査方式を採用してもよい。
【００５０】
順次走査方式は、制御回路４が先ず第２導電層２１の内の一短冊状導電シート（例えばＹ１）を走査すると、次いでその他短冊状導電シートＹ２、Ｙ３・・・Ｙｎを走査する。同時走査方式を採用する場合は、制御回路４が第２導電層２１の短冊状導電シートＹ１、Ｙ２、Ｙ３・・・Ｙｎに対して同時に走査、検知を行う。
【００５１】
２０４のステップにおいて、第１導電層１０のそれぞれの短冊状導電シートＸ１、Ｘ２、Ｘ３・・・Ｘｎの駆動が完全に実行されたか判断する。第１導電層１０のそれぞれの短冊状導電シートＸ１、Ｘ２、Ｘ３・・・Ｘｎのすべてに対する駆動がなされていない場合は２０１のステップに戻り、その他短冊状導電シートの駆動を継続して行う。
【００５２】
第１導電層１０のそれぞれの短冊状導電シートＸ１、Ｘ２、Ｘ３・・・Ｘｎの駆動が完全に実行されると、制御回路４は第２導電層２１を駆動層とし、第１導電層１０を走査、検知層とする。制御回路４が第２導電層２１を駆動する場合、同様に第２導電層２１のそれぞれの短冊状導電シートＹ１、Ｙ２、Ｙ３・・・Ｙｎを順に駆動電圧を印加する順次駆動方式を採用するか、もしくは第２導電層２１のそれぞれの短冊状導電シートＹ１、Ｙ２、Ｙ３・・・Ｙｎに駆動電圧を同時に印加する同時駆動方式を採用してもよい。
【００５３】
順次駆動方式を例に挙げると、２０５のステップにおいて制御回路４を介して第２導電層２１の内の一短冊状導電シートＹ１、Ｙ２、Ｙ３・・・もしくはＹｎの第１端Ｙ１ａ、Ｙ２ａ、Ｙ３ａ・・・Ｙｎａに予め設けた電位を駆動電圧として印加し、かつ第２導電層２１の第２端Ｙ１ｂ、Ｙ２ｂ、Ｙ３ｂ・・・Ｙｎｂを予め設けられた電位に接続する。この予め設けられた電位は接地Ｇか、零電位０Ｖか、もしくは固定数値Ｖ２であってもよく、第２導電層２１の短冊状導電シートＹ１、Ｙ２、Ｙ３・・・もしくはＹｎに電位傾度を形成する。例えば、短冊状導電シートＹ１から始める。
【００５４】
同時駆動方式を採用する場合は、制御回路４が第２導電層２１のそれぞれの短冊状導電シートＹ１、Ｙ２、Ｙ３・・・Ｙｎの第１端Ｙ１ａ、Ｙ２ａ、Ｙ３ａ・・・Ｙｎａに、予め設けた電位Ｖ１を駆動電圧として同時に印加し、かつそれぞれの短冊状導電シートＹ１、Ｙ２、Ｙ３・・・Ｙｎの第２端Ｙ１ｂ、Ｙ２ｂ、Ｙ３ｂ・・・Ｙｎｂを予め設けられた電位に接続する。この予め設けた電位は接地Ｇか、零電位０Ｖか、もしくは固定数値の電位Ｖ２であってもよく、第２１導電層１０の短冊状導電シートＹ１、Ｙ２、Ｙ３・・・Ｙｎに電位傾度を形成する。
【００５５】
次いで、２０６のステップにおいて、第２導電層２１によって、タッチ位置に基づいて対応する駆動電圧を、それぞれのタッチ位置に対応する第１導電層１０に印加する。
【００５６】
さらに、２０７のステップにおいて制御回路４が第１導電層１０に対して走査、検知を行い、それぞれのタッチ位置の第２軸方向の座標位置ｙを検知する。
【００５７】
制御回路４が第１導電層１０のそれぞれの短冊状導電シートＸ１、Ｘ２、Ｘ３・・・Ｘｎに対して行う走査、検知方式は、順次走査方式か、もしくは同時走査方式を採用してもよい。
【００５８】
順次走査方式は、制御回路４が先ず第１導電層１０の内の一短冊状導電シート（例えばＸ１）を走査すると、次いでその他短冊状導電シートＸ２、Ｘ３・・・Ｘｎを順に走査、検知し、同時走査方式の場合は制御回路４が第１導電層１０のそれぞれの短冊状導電シートＸ１、Ｘ２、Ｘ３・・・Ｘｎに対して同時に走査、検知を行う。
【００５９】
２０８のステップにおいて、第２導電層２１のそれぞれの短冊状導電シートＹ１、Ｙ２、Ｙ３・・・Ｙｎに対する駆動が実行されたか判断する。
【００６０】
第２導電層２１のそれぞれの短冊状導電シートＹ１、Ｙ２、Ｙ３・・・Ｙｎに対する駆動が実行されていないと判断した場合、２０１のステップに戻って初めから各ステップを実行する。
【図面の簡単な説明】
【００６１】
【図１】第１の実施例におけるシステムの構造を示したブロック図である。
【図２】図１の構造を有するタッチパネル装置の第１基板と第２基板と複数のスペーサポイントとの関係を示した説明図である。
【図３】第１の実施例におけるシステムの操作方法を示したフローチャートである。
【図４】第１の実施例における第１導電層に電位傾度を形成し、第２導電層に操作を行う状態を示した説明図である。
【図５】第１の実施例における第２導電層に電位傾度を形成し、第１導電層に操作を行う状態を示した説明図である。
【図６】第２の実施例におけるシステムの構造を示したブロック図である。
【図７】図６の構造を有するタッチパネル装置の第１基板と第２基板と複数のスペーサポイントとの関係を示した説明図である。
【図８】第３の実施例におけるシステムの構造を示したブロック図である。
【図９】第３の実施例におけるシステムの操作方法を示したフローチャートである。
【符号の説明】
【００６２】
１００    タッチパネル装置
１００ａ  タッチパネル装置
１００ｂ  タッチパネル装置
１        第１基板
１０      第１導電層 
１０１    第１端
１０２    第２端
２        第２基板
２１      第２導電層 
３        絶縁スペーサポイント
４        制御回路
５        マイクロコントローラ
Ｇ        接地
Ｖ１      電位
Ｖ２      予め設けられた電位
Ｖ０      零電位
Ｌ１      タッチ（ポイントの）位置
Ｌ１’    タッチ（ポイントの）位置
Ｌ２      タッチ（ポイントの）位置
Ｌ２’    タッチ（ポイントの）位置
Ｘ１      短冊状導電シート
Ｘ２      短冊状導電シート
Ｘ３      短冊状導電シート
Ｘｎ      短冊状導電シート 
Ｘ１ａ    第１端
Ｘ２ａ    第１端
Ｘ３ａ    第１端
Ｘｎａ    第１端
Ｘ１ｂ    第２端
Ｘ２ｂ    第２端
Ｘ３ｂ    第２端
Ｘｎｂ    第２端
Ｙ１      短冊状導電シート
Ｙ２      短冊状導電シート
Ｙ３      短冊状導電シート
Ｙｎ      短冊状導電シート
Ｙ１ａ    第１端 
Ｙ２ａ    第１端 
Ｙ３ａ    第１端 
Ｙｎａ    第１端 
Ｙ１ｂ    第２端
Ｙ２ｂ    第２端
Ｙ３ｂ    第２端
Ｙｎｂ    第２端 
Ｉ        第１軸方向 
ＩＩ      第２軸方向
【図１】
0005284768.tif 000002
【図２】
0005284768.tif 000003
【図３】
0005284768.tif 000004
【図４】
0005284768.tif 000005
【図５】
0005284768.tif 000006
【図６】
0005284768.tif 000007
【図７】
0005284768.tif 000008
【図８】
0005284768.tif 000009
【図９】
0005284768.tif 000010